(57)【要約】  【課題】本発明は、搬送される記録体の幅方向に複数のノズル群が配置され、インクを吐出させて印字を行うインクジェット記録システムに関し、複数のノズル群の記録体幅に対する配置調整を容易とし、かつ印字品質の維持を図ることを目的とする。  【解決手段】インクを吐出させるノズル構成体１４を、用紙１３の幅方向と同一方向に所定数のノズルのノズル群２１−１〜２１−４を備えた印字ヘッド１５−１〜１５−４が当該幅方向と共に搬送方向に所定数配置させ、その際に各ノズル群２１−１〜２１−４は、一文字最大幅に相当するノズル数分（Ｗ）を当該搬送方向上で重複させる構成とされ、当該各ノズル群２１−１〜２１−４の重複部分で印字する一の文字を、隣接するノズル群で跨らせずに、常に一のノズル群で印字させる構成とする。  【選択図】  図１
2006035770.tif 000002
【特許請求の範囲】
【請求項１】
印字デ−タに基づいて、所定の搬送手段により搬送される記録体の幅方向上でインクを吐出させて記録を行うインクジェット記録システムであって、
前記記録体の幅方向と同一方向に所定数のノズルを備えたノズル群が当該幅方向と共に搬送方向に所定数配置されるもので、各ノズル群は、少なくとも前記印字デ−タ中の一文字最大幅に相当するノズル数分が当該搬送方向上で重複されるノズル構成体と、
少なくとも、前記印字デ−タに基づいて前記各ノズル群に対してインク吐出を制御すると共に、当該各ノズル群の重複部分で印字する一の文字を、隣接するノズル群で跨らせずに、常に一のノズル群で印字させる処理を行う制御処理手段と、
を有することを特徴とするインクジェット記録システム。
【請求項２】
請求項１記載のインクジェット記録システムであって、前記ノズル構成体は、単一の前記ノズル群を備える単一の印字ヘッドを所定数有して構成されることを特徴とするインクジェット記録システム。
【請求項３】
請求項１記載のインクジェット記録システムであって、前記ノズル構成体は、前記ノズル群の総てを備える単一の印字ヘッドで構成されることを特徴とするインクジェット記録システム。
【発明の詳細な説明】
【技術分野】
【０００１】
本発明は、搬送される記録体の幅方向に複数のノズル群が配置され、インクを吐出させて印字を行うインクジェット記録システムに関する。
【背景技術】
【０００２】
近年、インクジェット方式による記録が業務用においても使用されてきており、業務用の印字ヘッドはパ−ソナル用と異なり、ノズルが記録する用紙等の幅全体をカバ−するラインで配置されている。そのため、複数のノズル群を用紙の幅方向に配置されることによる各ノズル群の境界部分での印字品質の低下を防ぐ必要がある。
【０００３】
従来、業務用のインクジェットプリンタは、記録対象の用紙等に対して幅方向のラインをカバ−する印字ヘッドが使用されるが、印字ヘッドのノズル数が増大するほど印字ベッド製造のコストが高騰することから、用紙幅分の対応ノズル数を複数のノズル群で分割した所定数の印字ヘッドを用紙幅方向に配置させることが知られている。このようなインクジェットプリンタが以下の特許文献に開示されている。
【０００４】
【特許文献１】特開平９−７６４８０号公報
【０００５】
ここで、図７に、従来のインクジェット記録における複数ノズル群による印字の説明図を示す。図７（Ａ）は、上記特許文献に開示されている印字ヘッドの構成を部分的に抽出したものであり、第１ノズル群１０１−１を有する第１印字ヘッド１０２−１と、第２ノズル群１０１−２を有する第２印字ヘッド１０２−２とが用紙搬送方向の幅方向に配置される。この場合、第１ノズル群１０１−１の最右端ノズルと、第２ノズル群１０１−２の最左端ノズルとが用紙搬送方向の幅方向で連続とされる。すなわち、この連続させる境界部分がいわゆるステッチング（Ｓ）と称され、用紙搬送方向の搬送タイミングに応じたインク吐出により幅方向に対して見た目上一ラインでインク吐出させた状態とさせるものである。
【発明の開示】
【発明が解決しようとする課題】
【０００６】
しかしながら、上記第１ノズル群１０１−１の最右端ノズルと第２ノズル群１０１−２の最左端ノズルとを連続させるように位置調整させることは非常に困難である。すなわち、図７（Ｂ）に示すように、例えば上記ステッチング部分で「あ」という文字を印字させた場合、第１ノズル群１０１−１の最右端ノズルと第２ノズル群１０１−２の最左端ノズルとの位置合わせで離れているとイのようにステッチング部分で文字が離れた状態となり、一方、所定数のノズルがライン状で重複しているとロのようにステッチング部分で文字が重なった状態となって印字品質を低下させるという問題がある。
【０００７】
そこで、本発明は上記課題に鑑みなされたもので、複数のノズル群の記録体幅に対する配置調整を容易とし、かつ印字品質の維持を図るインクジェット記録システムを提供することを目的とする。
【課題を解決するための手段】
【０００８】
上記課題を解決するために、請求項１の発明では、印字デ−タに基づいて、所定の搬送手段により搬送される記録体の幅方向上でインクを吐出させて記録を行うインクジェット記録システムであって、前記記録体の幅方向と同一方向に所定数のノズルを備えたノズル群が当該幅方向と共に搬送方向に所定数配置されるもので、各ノズル群は、少なくとも前記印字デ−タ中の一文字最大幅に相当するノズル数分が当該搬送方向上で重複されるノズル構成体と、少なくとも、前記印字デ−タに基づいて前記各ノズル群に対してインク吐出を制御すると共に、当該各ノズル群の重複部分で印字する一の文字を、隣接するノズル群で跨らせずに、常に一のノズル群で印字させる処理を行う記録制御手段と、を有する構成とする。
【０００９】
請求項２、３の発明では、「前記ノズル構成体は、単一の前記ノズル群を備える単一の印字ヘッドを所定数有して構成される」構成であり、
「前記ノズル構成体は、前記ノズル群の総てを備える単一の印字ヘッドで構成される」構成である。
【発明の効果】
【００１０】
本発明によれば、インクを吐出させるノズル構成体を、記録体の幅方向と同一方向に所定数のノズルを備えたノズル群が当該幅方向と共に搬送方向に所定数配置させ、その際に各ノズル群は、少なくとも印字デ−タ中の一文字最大幅に相当するノズル数分を当該搬送方向上で重複させる構成とさせ、当該各ノズル群の重複部分で印字する一の文字を、隣接するノズル群で跨らせずに、常に一のノズル群で印字させることにより、複数のノズル群の記録体幅に対する配置調整を厳密に行う必要がなく容易に調整可能となり、当該重複部分での印字文字が分離されたり、重ねられることなく印字品質の低下を防止することができるものである。
【発明を実施するための最良の形態】
【００１１】
以下、本発明の最良の実施形態を図により説明する。
図１に、本発明に係るインクジェット記録システムの概略構成図を示す。図１（Ａ）はシステム全体の概略図、図１（Ｂ）はノズル群の配置説明図である。図１（Ａ）において、インクジェット記録システム１１は、搬送手段（例えばベルト搬送）１２上を記録体である枚葉の用紙１３が搬送されるもので、当該搬送手段１２の所定位置の上方にノズル構成体１４が配置される。なお、ここでは印字対象の記録体を枚葉の用紙として説明するが、連続用紙でもよく、また紙製またはプラスチック製のカ−ドでもよく、これらに応じた搬送手段が採用されるものである。
【００１２】
上記ノズル構成体１４は、用紙１３の幅方向に対する第１および第３印字ヘッド１５−１，１５−３と、第２および第４印字ヘッド１５−２，１５−４とが搬送方向に微小間隔で配置される。各印字ヘッド１５−１〜１５−４は、図１（Ｂ）に示すように、それぞれ用紙幅方向に所定数のノズルが配置された第１ノズル群２１−１〜第４ノズル群２１−４を備えるもので、各ノズル群２１−１〜２１−４は、少なくとも印字デ−タ中の一文字最大幅に相当するノズル数Ｗ分が当該搬送方向上で重複される。ここで、文字とは、漢字、平仮名、カタカナ、ロ−マ字等の一般的なものの他に、記号や絵文字等を含む概念である。
【００１３】
また、各印字ヘッド１５−１〜１５−４は、備える各ノズル群２１−１〜２１−４に対応するノズル駆動部（例えば圧電素子等の既存のノズル駆動機構）を備えるもので、当該ノズル駆動部を印字デ−タに基づいて記録制御装置１６が制御を行う（後述する）。そして、当該記録制御装置１６には、例えば印字デ−タファイルを作成するホストコンピュ−タ１７が通信可能に接続されるものである。上記記録制御装置１６およびホストコンピュ−タ１７により制御処理手段を構成する。なお、制御処理手段として上記記録制御装置１６およびホストコンピュ−タ１７を単一の装置等としてもよい。
【００１４】
ここで、図２に、図１のホストコンピュ−タおよび記録制御システムのブロック構成図を示す。図２（Ａ）はホストコンピュ−タの本発明に関連する部分のブロック構成図、図２（Ｂ）は記録制御装置のブロック構成図である。図２（Ａ）に示すホストコンピュ−タ１７は、主に印字デ−タファイルを作成させるためのものとして、制御手段３１、バス３２、インタフェ−ス（ＩＦ）３３、ＲＡＭ３４、印字デ−タ処理手段３５、印字デ−タ格納手段３６、入力手段３７および表示手段３８を適宜備える。
【００１５】
上記制御手段３１は、少なくともインクジェット記録システム１１と関連する処理を統括して行うためのもので、そのためのプログラムを有し、適宜ＲＡＭ３４に展開されて実行される。上記ＩＦ３３は、例えば他のシステムからの印字元デ−タを入力し、作成した印字デ−タファイルを記録制御装置１６に出力するための入出力の整合性を図るためのもので、そのための回路基板およびプログラムを有する。上記ＲＡＭ３４は、種々のプログラムを展開、実行させるための作業領域としての役割をするものであり、例えば半導体メモリで構成され、仮想的にハ−ドディスク上に構築される場合をも含む概念である。
【００１６】
上記印字デ−タ処理手段３５は、入力した印字元デ−タに基づいて上記各ノズル群２１−１〜２１−４の重複部分で印字する一の文字を、隣接するノズル群で跨らせずに、常に一のノズル群で印字させるための印字デ−タファイルを作成する処理を行うもので（詳細は図３および図４で説明する）、そのためのプログラムがＲＡＭ３４等に展開されて実行される。上記印字デ−タ格納手段３６は、入力した印字元デ−タを格納しておくと共に、印字デ−タ処理手段３５で作成した印字デ−タファイルを格納するためのもので、メモリやハ−ドディスク等の記憶装置である。上記入力手段３７は、種々の設定や編集を行うためのキ−ボ−ドやマウス等であり、そのための表示が上記表示手段３８で行われるものである。
【００１７】
また、図２（Ｂ）に示す記録制御装置１６は、用紙搬送や、印字後の定着（図１では図示されていない）等の駆動制御を行うと共に、ノズル構成体１４の駆動制御を行うためのもので、適宜、制御手段４１、バス４２、ＩＦ４３、ＲＡＭ４５、フォント処理手段４５、定着制御手段４６、搬送制御手段４７およびノズル駆動制御手段４８を備える。上記制御手段４１は、当該装置全体を統括的に制御するものでそのためのプログラムを備え、ＲＡＭ４４等に展開されて実行される。
【００１８】
上記ＩＦ４３は、当該装置に接続される第１ノズル群駆動部２２−１〜第４ノズル群駆動部２２−４に駆動制御信号を送出し、搬送駆動部２３に駆動制御信号を送出し、定着駆動部２４に駆動制御信号を送出するための整合性を図ると共に、ホストコンピュ−タ１７より印字デ−タファイルを入力するための整合性を図るためのもので、そのための回路基板およびプログラムを有する。
【００１９】
上記ＲＡＭ４４は、上記同様に、種々のプログラムを展開、実行させるための作業領域としての役割をするものであり、例えば半導体メモリで構成され、仮想的にハ−ドディスク上に構築される場合をも含む概念である。上記フォント処理手段４５は、入力した印字デ−タファイルに基づいて、例えばアウトラインフォント等に変換するフォント処理を行うもので、そのためのプログラムがＲＡＭ４４等に展開されて実行される。
【００２０】
上記定着手段４６は、インク吐出後に加熱により定着させるための定着駆動部２４を駆動するための駆動制御信号を生成する。上記搬送手段４７は、用紙１３を搬送する搬送手段１２を構成する搬送駆動部２３を用紙送りや印字送りをさせるための駆動制御信号を生成する。そして、ノズル駆動制御手段４８は、第１ノズル群２１−１〜第４ノズル群２１−４の各ノズル毎に駆動する圧電素子等をそれぞれ備えた第１ノズル群駆動部２２−１〜第４ノズル群駆動部２２−４をフォントデ−タに基づいて駆動する駆動制御信号を生成するものである。
【００２１】
そこで、図３に図２の印字デ−タ処理手段による印字デ−タファイル作成の処理フロ−チャ−トを示すと共に、図４に図２の印字デ−タ処理手段による印字デ−タファイル作成の処理説明図を示す。例えば、図４（Ａ）に示すように、印字デ−タ中に含まれる文字のうち、最大幅の文字を８０ドット（最大フォント幅）とすると共に、第１印字ヘッド１５−１〜第４印字ヘッド１５−４の備えるそれぞれの第１ノズル群２１−１〜第４ノズル群２１−４をそれぞれ５００個のノズル群（５００ドット）とし、上記重複させるノズル数Ｗを最大フォント幅（８０ドット）より大の１００ドットとすると、見かけ上の単一印字ヘッド１５は、１７００ドットに応じた１７００個の見かけ上の単一ノズル群２１を備えているとすることができる。ここでは、図に示す１ドット目をドット基準値とする。
【００２２】
この場合、上記印字元デ−タは、一行１７００ドットを最大とした書式として予め規制されたものとして作成される。なお、配置される第１印字ヘッド１５−１および第３印字ヘッド１５−３と、第２印字ヘッド１５−２および第４印字ヘッド１５−４との搬送方向のずれＴは既知であり、当該第２印字ヘッド１５−２および第４印字ヘッド１５−４を使用させる場合には当該ずれＴを補正する印字タイミング信号が作成されるものとして、以下の説明では省略する。
【００２３】
そこで、図３において、まず、ホストコンピュ−タ１７の印字デ−タ処理手段３５が、所定の装置または手段（例えば他のコンピュ−タまたは記憶媒体）より印字元デ−タを取得すると（ステップ（Ｓ）１）、当該印字元デ−タより用紙サイズ、一行文字数、文字間隔および最大フォント幅（ここでは８０ドット）を抽出し、上記ドット基準値（１）からの各ノズル群切り替えのドットしきい値（Ｒ１〜Ｒ３）を演算する（Ｓ２）。すなわち、図４（Ａ）に示すように、第１ノズル群２１−１と第２ノズル群２１−２との切り替えの第１ドットしきい値Ｒ１は４２０ドット、第２ノズル群２１−２と第３ノズル群２１−３との切り替えの第２ドットしきい値Ｒ２は８２０ドット、第３ノズル群２１−３と第４ノズル群２１−４との切り替えの第３ドットしきい値Ｒ３は１２２０ドットとされる。
【００２４】
続いて、上記取得した印字元デ−タより一の頁（最初は第１頁）に対する一の行（最初は第１行）の全文字を特定する（Ｓ３）。ここでは、例えば図４（Ｂ）に示すように、「あいう・・・なにぬ」としている。上記特定した一行分の一の文字に対して、文字幅および文字間隔に基づいて、上記ドット基準値からの印字開始ドット番目（Ａ）を演算する（Ｓ４）。例えば、図４（Ｂ）に示すように、最初の文字「あ」に対して印字開始ドット番目（Ａ）と当該文字のフォント幅（ｆ）を特定した中間属性情報（Ａ，ｆ）は、（１，５０）となる。
【００２５】
この中間属性情報（Ａ，ｆ）に対して、まず当該印字開始ドット番目（Ａ）が第１ドットしきい値Ｒ１（４２０ドット目）より小かを判断し（Ｓ５）、小ならば第１ノズル群２１−１で印字させることを指定するフラグを作成する（Ｓ６）。そして、当該文字情報（ここでは「あ」）に作成した使用ノズル群フラグ（ここでは第１ノズル群２１−１のフラグであって、例えば「００」）を属性情報として付加する（Ｓ１２）。例えば、図４（Ｂ）に示すように、「あ〜お」のそれぞれについて第１ノズル群２１−１で印字させるフラグ（「００」）が属性情報として付加される。
【００２６】
例えば、中間属性情報（Ａ，ｆ）が（４５０，５０）の「か」の場合、当該印字開始ドット番目（Ａ）が第１ドットしきい値Ｒ１（４２０ドット目）より大と判断され（Ｓ５）、第２ドットしきい値Ｒ２（８２０ドット目）より小ならば（Ｓ７）、第２ノズル群２１−２で印字させることを指定するフラグ（例えば「０１」）を作成して（Ｓ８）、当該フラグを属性情報として付加する（Ｓ１２）。
【００２７】
また、中間属性情報（Ａ，ｆ）が（８２５，５０）の「し」の場合、当該印字開始ドット番目（Ａ）が第１ドットしきい値Ｒ１（４２０ドット目）より大と判断され（Ｓ５）、第２ドットしきい値Ｒ２（８２０ドット目）より大と判断され（Ｓ７）、第３ドットしきい値Ｒ３（１２２０ドット目）より小ならば（Ｓ９）、第３ノズル群２１−３で印字させることを指定するフラグ（例えば「１０」）を作成して（Ｓ１０）、当該フラグを属性情報として付加する（Ｓ１２）。
【００２８】
さらに、中間属性情報（Ａ，ｆ）が（１２７５，５０）の「ち」の場合、当該印字開始ドット番目（Ａ）が第１ドットしきい値Ｒ１（４２０ドット目）より大と判断され（Ｓ５）、第２ドットしきい値Ｒ２（８２０ドット目）より大と判断され（Ｓ７）、第３ドットしきい値Ｒ３（１２２０ドット目）より大と判断されれば（Ｓ９）、第４ノズル群２１−４で印字させることを指定するフラグ（例えば「１１」）を作成して（Ｓ１１）、当該フラグを属性情報として付加するものである（Ｓ１２）。
【００２９】
上記演算処理を一行の全文字についてＳ３〜Ｓ１２を繰り返し（Ｓ１３）、これを当該頁の全行についてＳ３〜Ｓ１３を繰り返し（Ｓ１４）、当該印字元デ−タの全頁についてＳ３〜Ｓ１４を繰り返す（Ｓ１５）。そして、上記取得した印字元デ−タの総ての文字に使用ノズル群フラグの属性情報を付加した印字デ−タファイルが作成される（Ｓ１６）。当該印字デ−タファイルは、上記印字元デ−タと共に、一旦印字デ−タ格納手段３６に格納され、記録制御装置１６に送出されるものである。
【００３０】
記録制御装置１６では、取得した印字デ−タファイルに基づいて、フォント処理手段４５が上述のフォントデ−タを作成し、上記フラグの属性情報に基づき各文字に対してノズル駆動制御手段４８が第１ノズル群駆動部２２−１〜第４ノズル群駆動部２２−４の何れかに駆動制御信号を送出してインク吐出による印字を行わせるものである。
【００３１】
なお、図３では、各一文字ごとに中間属性情報（Ａ，ｆ）を演算して何れのノズル群を使用させるかのフラグをそれぞれ付す処理を行わせる場合を示したが、一行毎の全文字、または一頁毎の全行の全文字、または全頁の全文字に対して中間属性情報（Ａ，ｆ）を演算しておき、その後に何れのノズル群を使用させるかのフラグを付す処理を行わせることとしてもよい。
【００３２】
このように、各文字に対して何れのノズル群を使用させるかのフラグを付して印字を行わせることから、各印字ヘッド１５−１〜１５−４を配置させる際に、各ノズル群２１−１〜２１−４の重複させるドット数が多少ずれていても上記ステッチング部分で文字割れや文字重ねを防止することができ、厳密な調整を行う必要がなくなるものである。この場合、文字間隔が多少ずれる場合もあるが目視上問題とはならない。すなわち、複数のノズル群の配置に対して容易に調整可能とすることができ、印字品質の低下を防止することができるものである。
【００３３】
次に、図５に、図１の印字ヘッドにおけるノズル群の他の構成の説明図（１）を示す。図５（Ａ）に示すインクジェット記録システム１１は、ノズル構成体５１を単一の印字ヘッドとした場合を示したもので、他の構成は図１（Ａ）と同様である。すなわち、図５（Ｂ）に示すように、単一の印字ヘッド（ノズル構成体）５１は、それぞれ用紙幅方向に所定数のノズルを備えた第１ノズル群２１−１および第３ノズル群２１−３と、第２ノズル群２１−２および第４ノズル群２１−４とが、搬送方向に配置され、その際に第１ノズル群２１−１と第２ノズル群２１−２、第２ノズル群２１−２と第３ノズル群２１−３、第３ノズル群２１−３と第４ノズル群２１−４のそれぞれで少なくとも印字デ−タ中の一文字最大幅に相当するノズル数Ｗ分が当該搬送方向上で重複されて配置されたものである。
【００３４】
図５（Ａ）、（Ｂ）に示す単一の印字ヘッド（ノズル構成体）５１と、図１（Ａ）、（Ｂ）に示すノズル構成体１４とは、各ノズル群２１−１〜２１−４を製造する際の相違に過ぎず、その作用効果は同様である。
【００３５】
次に、図６に、図１の印字ヘッドにおけるノズル群の他の構成の説明図（２）を示す。図６（Ａ）は、ノズル構成体１４として、用紙幅方向に所定数のノズルを備えたそれぞれの第１印字ヘッド１５−１（第１ノズル群２１−１）、第２印字ヘッド１５−２（第２ノズル群２１−２）、第３印字ヘッド１５−３（第３ノズル群２１−３）、第４印字ヘッド１５−４（第４ノズル群２１−４）が、搬送方向に対して順次微小間隔で配置され、その際に第１ノズル群２１−１と第２ノズル群２１−２、第２ノズル群２１−２と第３ノズル群２１−３、第３ノズル群２１−３と第４ノズル群２１−４のそれぞれで少なくとも印字デ−タ中の一文字最大幅に相当するノズル数Ｗ分が当該搬送方向上で重複されて配置されたものである。
【００３６】
また、図６（Ｂ）は、単一の印字ヘッド（ノズル構成体）５１が、当該印字ヘッド５１内で、用紙幅方向に所定数のノズルの第１ノズル群２１−１、第２ノズル群２１−２、第３ノズル群２１−３、第４ノズル群２１−４が、搬送方向に対して順次微小間隔で配置され、その際に第１ノズル群２１−１と第２ノズル群２１−２、第２ノズル群２１−２と第３ノズル群２１−３、第３ノズル群２１−３と第４ノズル群２１−４のそれぞれで少なくとも印字デ−タ中の一文字最大幅に相当するノズル数Ｗ分が当該搬送方向上で重複されて配置されたものである。
【００３７】
このように第１ノズル群２１−１〜第４ノズル群駆動部２２−４を配置させた場合であっても、搬送方向で間隔（ずれ）による印字タイミングを定めるだけで上記同様の作用効果を奏することができるものである。このことは、各実施形態に示した配置例に限らず、ヘッド製造に応じて適宜定めることができるものである。
【産業上の利用可能性】
【００３８】
本発明のインクジェット記録システムは、各種帳票、名刺、各種カ−ド、チラシ等の印字、印刷に適する。
【図面の簡単な説明】
【００３９】
【図１】本発明に係るインクジェット記録システムの概略構成図である。
【図２】図１のホストコンピュ−タおよび記録制御システムのブロック構成図である。
【図３】図２の印字デ−タ処理手段による印字デ−タファイル作成の処理フロ−チャ−トである。
【図４】図２の印字デ−タ処理手段による印字デ−タファイル作成の処理説明図である。
【図５】図１の印字ヘッドにおけるノズル群の他の構成の説明図（１）である。
【図６】図１の印字ヘッドにおけるノズル群の他の構成の説明図（２）である。
【図７】従来のインクジェット記録における複数ノズル群による印字の説明図である。
【符号の説明】
【００４０】
１１                インクジェット記録システム
１２                搬送手段
１３                用紙
１４                ノズル構成体
１５−１〜１５−４  印字ヘッド
１５                見かけ上の単一印字ヘッド
１６                記録制御装置
１７                ホストコンピュ−タ
２１−１〜２１−４  ノズル群
２１                見かけ上の単一ノズル群
５１                単一印字ヘッド
【図１】
2006035770.tif 000003
【図２】
2006035770.tif 000004
【図３】
2006035770.tif 000005
【図４】
2006035770.tif 000006
【図５】
2006035770.tif 000007
【図６】
2006035770.tif 000008
【図７】
2006035770.tif 000009